(57)【特許請求の範囲】
【請求項１】
通信ケーブルにより電源が供給可能な通信インタフェースに準拠したデータ通信において電源を供給するケーブルの電圧を監視する電源監視装置であって、
監視する電圧を入力する監視電圧入力端子と、
電圧入力端子とグランドとの間に接続された抵抗と、
電圧入力端子から入力された電圧と基準電圧とを比較する比較手段と、
比較手段からの比較結果を格納する出力レジスタと、
前記電源監視装置を、その動作を停止させた状態であるスリープ状態に制御するためのスリープ信号を入力するスリープ手段とを備え、
該スリープ手段からのスリープ信号がアクティブであるときは、前記出力レジスタの出力は前記監視電圧入力端子に入力される電圧にかかわらず所定値に固定されることを特徴とする電源監視装置。
【請求項２】
前記監視電圧入力端子は、電源監視装置が前記スリープ状態で使用されるときはグランドに接続されており、電源監視装置が前記スリープ状態で使用されないときは前記電源を供給する通信ケーブルに接続されていることを特徴とする請求項１記載の電源監視装置。
【請求項３】
前記スリープ信号がアクティブのときは、前記出力レジスタの出力は「１」に固定されることを特徴とする請求項１記載の電源監視装置。
【請求項４】
前記スリープ手段は、スリープ信号を入力する端子であることを特徴とする請求項１記載の電源監視装置。
【請求項５】
前記スリープ手段は、スリープ信号を格納するレジスタであることを特徴とする請求項１記載の電源監視装置。
【請求項６】
ケーブルにより供給された電源電圧の監視信号を外部より入力する監視信号入力手段と、前記出力レジスタの出力と前記監視信号入力端子からの出力とを選択して出力する選択手段とをさらに備え、
前記選択手段は前記スリープ信号がアクティブでないときは前記出力レジスタの出力を選択し、前記スリープ信号がアクティブのときは前記監視信号入力手段からの出力を選択して出力することを特徴とする請求項１記載の電源監視装置。
【請求項７】
前記監視信号入力手段は、監視信号を入力する端子であることを特徴とする請求項６記載の電源監視装置。
【請求項８】
前記監視信号入力手段は、監視信号を格納するレジスタであることを特徴とする請求項６記載の電源監視装置。
【請求項９】
前記スリープ信号がアクティブのときは、前記比較器の動作を停止させることを特徴とする請求項１記載の電源監視装置。
【請求項１０】
通信ケーブルにより電源が供給可能な通信インタフェースに準拠したデータ通信において電源を供給するケーブルの電圧を監視する電源監視装置における電源監視方法において、
監視する電圧を入力し、
入力した電圧と基準電圧とを比較し、その比較結果をレジスタに格納し、
該レジスタに格納された値を電圧監視結果として出力する方法であって、
前記電源監視装置の動作を停止させた状態であるスリープ状態に制御するためのスリープ信号を入力し、
入力したスリープ信号がアクティブであるときは、前記レジスタの出力を、前記入力した監視電圧にかかわらず前記レジスタの値を所定値に固定することを特徴とする電源監視方法。
【請求項１１】
前記電源監視装置が監視する電圧を所定の入力端子を介して入力する場合は、
その入力端子を、前記電源監視装置がスリープ状態で使用されるときはグランドに接続しておき、前記電源監視装置がスリープ状態で使用されないときは電源を供給する通信ケーブルに接続しておくことを特徴とする請求項１０記載の電源監視方法。
【請求項１２】
前記スリープ信号がアクティブのときは、前記レジスタの出力を「１」に固定することを特徴とする請求項１０記載の電源監視方法。
【請求項１３】
ケーブルにより供給された前記電源電圧の監視信号を外部より入力し、
前記スリープ信号がアクティブでないときは前記レジスタの出力を選択し、前記スリープ信号がアクティブのときは外部より入力したその監視信号を選択して電圧監視結果として出力することを特徴とする請求項１０記載の電源監視方法。
【請求項１４】
所定のプログラムに基いた情報処理を行なう情報処理装置において、
外部機器とのデータ通信であって、通信ケーブルにより電源が供給可能な通信インタフェースに準拠したデータ通信を制御する通信制御手段を備え、
該記通信制御手段は、請求項１ないし請求項９のいずれか一に記載の電源監視装置を用いて電源を供給する通信ケーブルの電圧を監視することを特徴とする情報処理装置。
【請求項１５】
光ディスクに対してデータの読み出し、書き込みを行なう光ディスク装置において、
外部機器とのデータ通信であって、通信ケーブルにより電源が供給可能な通信インタフェースに準拠したデータ通信を制御する通信制御手段を備え、
該通信制御手段は、請求項１ないし請求項９のいずれか一に記載の電源監視装置を用いて電源を供給する通信ケーブルの電圧を監視することを特徴とする光ディスク装置。
【発明の詳細な説明】
【０００１】
【発明の属する技術分野】
本発明は、通信ケーブルにより電源が供給可能な通信インタフェースに準拠したデータ通信において、電源を供給する通信ケーブルの電圧を監視する電源監視装置に関する。また、その電源監視装置を利用する情報処理装置及び光ディスク装置に関する。
【０００２】
【従来の技術】
ＩＥＥＥ１３９４規格では、二組の信号線対からなる４線でのインタフェースと、二組の信号線対からなる４本の信号線に電源ライン、グランドラインを加えた６線でのインタフェースとを規定している。通信ケーブルについては、４線でのインタフェースの場合は４ピンケーブルが使用され、６線でのインタフェースの場合は６ピンケーブルが使用される。４ピンケーブルを使用するか、６ピンケーブルを使用するかは、システム設計を行う段階で選択可能である。
【０００３】
６ピンケーブルを使用した場合、例えば次のような利点が挙げられる。
１）通信ケーブルを介して電源の供給を受ければ、独自に電源供給のためのラインを持つ必要がなく、システム的に集約化できる。
２）通信ケーブルを介して電源を供給する場合、通信ケーブルを介して構築されたシステム全体での消費電力を管理できる。
【０００４】
通信ケーブルを介して電源供給を行う場合、供給する電源電圧を、供給を受ける側のシステムを動作させるのに必要となる所定の電圧に維持する必要がある。ＩＥＥＥ１３９４規格ではケーブルの電源供給源の要求事項として最小出力電圧を８Ｖと規定している。また、最大出力電圧は３０Ｖと規定されている。通常、電源の状態は、そのインタフェースに準拠した通信を物理層にて制御するインタフェース用の集積回路（以下「物理層ＩＣ」という。）により監視される。
【０００５】
図６に、６ピンケーブルを使用するシステム（物理層ＩＣ）１０におけるケーブルにより供給される電源（以下「ケーブル電源」という。）の監視回路１１の従来の構成を示す。監視対象であるケーブル電源Ｖddは８Ｖ以上、３０Ｖ以下の高電圧が供給されているため、直接、物理層ＩＣ１０のケーブル電源監視用端子２１（以下「ＣＰＳ端子」という。ＣＰＳ：Cable Power State）に接続すると物理層ＩＣ１０が破壊されてしまう。そのため、電源電圧は、抵抗Ｒ１、Ｒ２によって物理層ＩＣ１０が破壊されない低い電圧に分圧された後、物理層ＩＣ１０に入力される。物理層ＩＣ１０に入力された電圧は比較器１５によって基準電圧Ｖrefと比較され、その比較結果を「１」、「０」からなる二値のデジタル信号で出力する。比較結果は、専用の物理層レジスタ領域内のケーブル電源の状態を反映させるレジスタ１３（以下「ＰＳレジスタ」と呼ぶ。ＰＳ：Power Status）に伝送される。ここで、ＰＳレジスタはＩＥＥＥ１３９４規格によって規定されているレジスタである。ケーブル電源Ｖddが最小出力電圧以上を維持している場合、ＰＳレジスタ１３には、ケーブルの電源Ｖddが正常であることを示す「１」がセットされる。最小出力電圧を下回った場合、ＰＳレジスタ１３にはケーブルの電源Ｖddが異常であることを示す「０」がセットされる。
【０００６】
図６に示すシステムを構成する場合、ケーブル電源Ｖddの分圧に使用した抵抗Ｒ２は物理層ＩＣ１１内部で生成する。抵抗Ｒ２を物理層ＩＣ１１内部で生成することは、抵抗Ｒ２を物理層ＩＣ１１の外部に構成する場合に比べ、製造コスト及び実装面積の面で有利となる。
【０００７】
図７は、４ピンケーブルを使用したシステムのケーブル周辺部のケーブル電源の監視装置の構成を示した図である。４ピンケーブルの場合、ケーブル電源は使用されないため、物理層ＩＣ１０のＣＰＳ端子２１は物理層ＩＣ１０を動作させる電源Ｖddに直結される。電源Ｖddに直結するため、物理層ＩＣ１０内の比較器１５の比較結果は常時「１」となる。その結果、ＰＳレジスタ１３の値も常時「１」となり、異常でないことを示す。
【０００８】
図６に示すシステムで使用する物理層ＩＣ１０と図７に示すシステムで使用する物理層ＩＣ１０とは同一である。つまり、上記示したように、物理層ＩＣ１０は、６ピンケーブルを使用したシステムに組み込まれる場合は図６に示すような態様で使用され、また、４ピンケーブルを使用したシステムに組み込まれる場合は図７に示すような態様で使用される。
【０００９】
【発明が解決しようとする課題】
図７に示す態様では抵抗Ｒ２は、ケーブル電源電圧の監視動作に寄与していないにも関わらず、電力を消費していることになる。すなわち、図７に示すシステムでは、電源Ｖdd、ＣＰＳ端子２１、抵抗Ｒ２、グランドと接続する経路において常時電流が流れてしまい、抵抗Ｒ２で電力が消費される。
【００１０】
一般に、ＩＥＥＥ１３９４インタフェースを組込んだ電子機器の中で携帯用のパソコンやデジタルカメラなどバッテリ駆動型のアプリケーションでは、通常、消費電力を抑えるために、データ転送を行わない間はインタフェース回路（物理層ＩＣ）を低消費電力モードに設定している。この低消費電力モードにおいては、物理層ＩＣ内では周辺装置をケーブルで接続すると直ちに使用可能となるプラグ・アンド・プレイ機能を保証するのに必要な最低限の回路以外は待機状態におかれる。
【００１１】
図７に示すシステムにおいて、データ転送を行う通常動作時は、抵抗Ｒ２を含む上記の経路において消費される電力は物理層ＩＣ１０全体で消費される電力に比べ微少であるため問題とならないが、低消費電力モード時では、その経路において消費される電力は物理層ＩＣ１０全体で消費される電力のかなりの割合を占めることとなり、そのときの消費電力の抑制が問題となる。
【００１２】
かかる問題を解決するためには、抵抗Ｒ２で消費される電力を抑制することが望ましい。このため、抵抗Ｒ２の抵抗値を大きくする方法が考えられる。しかし抵抗Ｒ２の抵抗値を大きくする方法は消費電力の低減は図れるが、物理層ＩＣ１０における抵抗Ｒ２の占有面積が増大し、回路の製造コストが上昇するという問題がある。
【００１３】
また、抵抗Ｒ２を物理層ＩＣ１０内に組み込まず、外付けにする方法が考えられる。しかし、図７に示すシステムでは、上記の経路で消費される電力はなくなるが、図６に示すシステムにおいては、抵抗Ｒ２が外付けとなるためシステム上での部品搭載数が増加してしまうという問題がある。
【００１４】
本発明は上記の問題点を解決するためになされたものであり、通信ケーブルにより電源供給可能な通信インタフェースに準拠したデータ通信におけるその通信ケーブルの電源電圧を監視する装置において、システム上の部品搭載数を増加させることなく電力消費を抑制した電源監視装置を提供することを目的とする。さらに、その電源監視装置を利用した情報処理装置及び光ディスク装置を提供することを目的とする。
【００１５】
【課題を解決するための手段】
本発明に係る電源監視装置は、通信ケーブルにより電源が供給可能な通信インタフェースに準拠したデータ通信において電源を供給するケーブルの電圧を監視する電源監視装置である。その電源監視装置は、監視する電圧を入力する監視電圧入力端子と、電圧入力端子とグランドとの間に接続された分圧抵抗と、電圧入力端子から入力された電圧と基準電圧とを比較する比較手段と、比較手段からの比較結果を格納する出力レジスタと、電源監視装置を、その動作を停止させた状態であるスリープ状態に制御するためのスリープ信号を入力するスリープ手段とを備える。スリープ手段からのスリープ信号がアクティブであるときは、出力レジスタの出力は監視電圧入力端子に入力される電圧にかかわらず所定値に固定される。スリープ手段を設けたことにより、必要に応じて電源監視装置をその監視機能を停止させるスリープ状態に制御でき、電力消費を低減できる。
【００１６】
好ましくは、監視電圧入力端子は、電源監視装置がスリープ状態で使用されるときはグランドに接続されており、電源監視装置がスリープ状態で使用されないときは電源を供給する通信ケーブルに接続されている。このように、スリープ状態において監視電圧入力端子をグランドに接続することにより分圧抵抗に電流が流れないため電力消費を抑えることができる。
【００１７】
好ましくは、スリープ信号がアクティブのときは、出力レジスタの出力は「１」に固定される。すなわち、好ましくは、スリープ状態のときは、電源監視信号として正常であることを示す値「１」が常時出力される。
【００１８】
スリープ手段は、スリープ信号を入力する端子であってもよいし、スリープ信号を格納するレジスタであってもよい。これにより、スリープ手段の設計時の自由が増す。
【００１９】
また、電源監視装置は、外部より通信ケーブルの電源電圧の監視信号を入力する監視信号入力手段と、出力レジスタの出力と監視信号入力端子からの出力とを選択して出力する選択手段とをさらに備えてもよい。このとき、選択手段はスリープ信号がアクティブでないときは出力レジスタの出力を選択し、スリープ信号がアクティブのときは監視信号入力手段からの出力を選択して出力する。
【００２０】
監視信号入力手段は、監視信号を入力する端子であってもよいし、監視信号を格納するレジスタであてもよい。
【００２１】
好ましくは、スリープ信号がアクティブのときは比較器の動作を停止させる。これにより、スリープ状態のときの消費電力をさらに抑えることができる。
【００２２】
本発明に係る電源監視方法は、通信ケーブルにより電源が供給可能な通信インタフェースに準拠したデータ通信において電源を供給するケーブルの電圧を監視する電源監視装置における電源監視方法である。その方法は、監視する電圧を入力し、入力した電圧と基準電圧とを比較し、その比較結果をレジスタに格納し、レジスタに格納された値を電圧監視結果として出力する方法であって、電源監視装置の動作を停止させた状態であるスリープ状態に制御するためのスリープ信号を入力し、入力したスリープ信号がアクティブであるときは、レジスタの出力を、入力した監視電圧にかかわらず前記レジスタの値を所定値に固定する。
【００２３】
本発明に係る情報処理装置は、所定のプログラムに基いた情報処理を行なう情報処理装置において、外部機器とのデータ通信であって、通信ケーブルにより電源が供給可能な通信インタフェースに準拠したデータ通信を制御する通信制御手段を備える。その通信制御手段は、上記の電源監視装置を用いて、電源を供給する通信ケーブルの電圧を監視する。
【００２４】
本発明に係る光ディスク装置は、光ディスクに対してデータの読み出し、書き込みを行なう光ディスク装置であって、外部機器とのデータ通信であって、通信ケーブルにより電源が供給可能な通信インタフェースに準拠したデータ通信を制御する通信制御手段を備える。その通信制御手段は上記の電源監視装置を用いて電源を供給する通信ケーブルの電圧を監視する。
【００２５】
【発明の実施の形態】
以下、添付の図面を参照し本発明の実施形態を詳細に説明する。
【００２６】
（実施の形態１）
図１は、本発明に係る電源監視部を含むインタフェースＩＣの構成の一部を示す。インタフェースＩＣ１０ａは、ＩＥＥＥ１３９４プロトコルに準拠してデータ通信を制御するものであり、パーソナルコンピュータ等の情報処理装置やその他の電子機器に組み込まれて使用される。特に、図１に示すインタフェースＩＣ１０ａは、インタフェースプロトコルの物理層を制御するためのものであるため以下「物理層ＩＣ」と呼ぶ。
【００２７】
物理層ＩＣ１０ａは電源監視部１１ａを含む。従来技術で説明したようにＩＥＥＥ１３９４プロトコルでは通信ケーブルを介して電源供給が可能であり、電源監視部１１ａは、データ通信を行なう情報処理装置や電子機器間においてそれらを接続する通信ケーブルにより供給される電源電圧を監視し、監視した結果を二値信号で出力する。電源監視部１１ａは、ＰＳレジスタ１３と、比較器１５と、基準電圧Ｖrefを発生する基準電圧生成回路１７と、抵抗Ｒ２とからなる。電源監視部１１ａはさらに、監視するケーブル電源電圧を入力するＣＰＳ端子２１を備える。また、物理層ＩＣ１０ａは、電源監視部１１ａの電源監視機能を停止させた状態である「スリープ状態」（詳細は後述）に制御するためのスリープ信号（ＣＰＳ−ＳＬＥＥＰ信号）を入力するスリープ端子２３を備える。スリープ端子２３は比較器１５、基準電圧生成器１７、ＰＳレジスタ１３（ＰＳレジスタ１３のセット端子）にそれぞれ接続されている。
【００２８】
上記のように構成される物理層ＩＣ１０ａは、電源監視を行なう活動状態と、電源監視機能を停止させたスリープ状態の２つの動作状態を有する。これらの状態はスリープ端子に入力されるスリープ信号により切り換えられる。活動状態では、電源監視部１１ａはＣＰＳ端子２１に接続された通信ケーブルの電源電圧を監視し、その電圧に基いた監視信号を出力する。スリープ状態では、電源監視部１１ａは、その電源監視機能を停止し、つまり、通信ケーブルの電源電圧を監視せず、常時、監視信号として「正常」を示す値「１」を出力する。
【００２９】
物理層ＩＣ１０ａは電子機器に組み込まれて使用されるが、そのときの接続態様は、その電子機器が通信ケーブル電源を使用するシステム（６ピンケーブルを使用するシステム）であるか、使用しないシステム（４ピンケーブルを使用するシステム）であるかに応じて異なる。つまり、ケーブル電源を使用するシステム（６ピンケーブルを使用するシステム）に組み込まれる場合は、電源監視部１１ａをケーブル電源電圧を監視する活動状態で動作させ、一方、インタフェースのケーブル電源を使用しないシステム（４ピンケーブルを使用するシステム）に組み込まれる場合は、電源監視部１１ａをその監視機能を停止させたスリープ状態で動作させる必要があるからである。より具体的には次のとおりである。
【００３０】
ｉ）物理層ＩＣ１０ａがケーブル電源を使用するシステムに組み込まれて使用される場合（６ピンケーブルを使用するシステム（図６参照））
この場合、ＣＰＳ端子２１には電源供給用の通信ケーブル（以下「電源ケーブル」という。）が接続されており、電源監視部１１ａはその電源ケーブルの電源電圧に基いた監視信号を出力する必要から、活動状態に制御される。このため、スリープ端子２３へのスリープ信号が非アクティブとなるように、スリープ端子２３を電源またはグランドに接続する。電源またはグランドのいずれに接続するかは、スリープ信号がハイアクティブかローアクティブかにより決定される。また、ＣＰＳ端子２１は外部に接続された抵抗を介してケーブル電源Ｖddに接続される（図６参照）。このときの物理層ＩＣ１０ａの電源監視動作は次のようになる。ＣＰＳ端子２１に入力されたケーブル電源電圧はコンパレータ１５により基準電圧発生器１７からの基準電圧Ｖrefと比較され、比較結果がＰＳレジスタ１３に出力される。ＰＳレジスタ１３はコンパレータ１５からの比較結果を格納する。このＰＳレジスタ１３の出力値により電源ケーブルの電圧状態を知ることができる。
【００３１】
ii）物理層ＩＣ１０ａがケーブル電源を使用しないシステムに組み込まれて使用される場合（４ピンケーブルを使用するシステム（図７参照））
この場合、電源監視部１１ａはケーブル電源の電圧を監視せず、常に監視信号として「正常」を示す値「１」を出力する必要から、スリープ状態に制御される。したがって、電源監視部１１ａをスリープ状態に制御するため、スリープ端子２３を強制的にアクティブにするようにスリープ端子２３をグランドまたは電源に接続する。電源またはグランドのいずれに接続するかは、スリープ信号がハイアクティブかローアクティブかにより決定される。また、ＣＰＳ端子２１はグランドに直結される。このようにＣＰＳ端子２１をグランドに直結することにより抵抗Ｒ２での電力消費を抑制できる。
【００３２】
ＰＳレジスタ１３は、スリープ信号がアクティブのとき、すなわち、スリープ端子２３からのスリープ信号によりセットされたときは常に正常を示す「１」を出力する。スリープ信号がアクティブのときは、比較器１５と基準電圧生成器１７は、それらの動作を停止する。これにより、スリープ状態のときには、比較器１５と基準電圧生成器１７で電力が消費されない。
【００３３】
ところで、低消費電力モード時のみ消費電力の抑制するだけならば、スリープ端子２３を比較器１５又はＰＳレジスタ１３のうちの少なくとも一方に接続し、比較器１５、基準電圧生成器１７及びＰＳレジスタ１３のうちのスリープ端子２３が接続されていないものに低消費電力モード制御信号を接続するようにしてもよい。このような構成でも、比較器１５、基準電圧生成器１７及びＰＳレジスタ１３の全てにスリープ端子２３を接続した場合と同等の効果が得られる。なお、比較器１５にスリープ端子２３が接続される場合は、スリープ信号がアクティブの時に、比較器１５の出力結果が「１」となるように比較器１５の出力を固定する必要がある。
【００３４】
また、図１におけるＰＳレジスタ１３のクロック信号（ＣＬＫ）をスリープ端子２３からのスリープ信号に応じて制御し、スリープ信号がアクティブの時にはクロック信号がＰＳレジスタ１３に入力されないようにしてもよい。
【００３５】
以上のように、本実施形態の物理層ＩＣは、その監視機能を停止させるための制御信号であるスリープ信号を入力するスリープ端子を設けており、これにより監視機能を停止させるスリープ状態に制御可能となる。したがって、物理層ＩＣがインタフェースのケーブル電源を使用しないシステムに搭載されて使用される場合には、このスリープ端子を用いて容易に物理層ＩＣをスリープ状態に制御できるため、物理層ＩＣにて消費される電力を抑えることができる。
【００３６】
なお、上記においては、通信インタフェースがＩＥＥＥ１３９４の場合ついて説明したが、これに限らず、通信ケーブルを介して電源供給が可能なインタフェースであれば他のインタフェ−スに対しても同様に適用できる。
【００３７】
（実施の形態２）
図２に、インタフェースＩＣの別の構成を示す。本実施形態のインタフェースＩＣ１０ｂは、物理層の制御を行なう物理層ブロック１１ｂと、リンク層の制御を行なうリンク層ブロック３１と、上位システムとの間のインタフェースを行なう上位層インタフェースブロック３３とを含む。上位システムとのインタフェース方式はＰＣＩバスを使用する。インタフェース用ＩＣ１０ｂはＰＣＩバス１００を介して上位システムより制御可能で、スリープ信号の値を格納するレジスタ４１を含むレジスタ領域４０を有している。レジスタ領域４０と物理層ブロック１１ｂとは少なくともクロック及びリセットのための制御系は別系統になっている。
【００３８】
物理層ブロック１１ｂは基本的に図１に示した物理層ＩＣの電源監視部１１ａと同様の構成を有するが、スリープ信号を入力するためのスリープ端子２３の代わりに、レジスタ領域４０に設けられたスリープ信号を格納するレジスタ４１を利用する構成となっている。物理層ブロック１１ｂはケーブル電源電圧の監視結果をリンク層ブロック３１に出力する。
【００３９】
実施の形態１の場合と同様、本実施形態のインタフェースＩＣ１０ｂがケーブル電源を使用するシステムに組み込まれて使用される場合は、ＣＰＳ端子２１は外部に接続された抵抗を介してケーブル電源Ｖddに接続され、また、ケーブル電源を使用しないシステムに組み込まれて使用される場合は、ＣＰＳ端子２１がグランドに直結される。これにより、実施の形態１の場合と同様にスリープ状態時の消費電力が抑制される。
【００４０】
レジスタ４１は初期状態において、スリープ信号が「１」でアクティブ（ハイアクティブ）のときは「０」がセットされ、スリープ信号が「０」でアクティブ（ローアクティブ）のときは「１」がセットされる。レジスタ４１の初期設定終了後、物理層ブロック１１ｂの動作前に、好ましくは物理層ブロック１１ｂのリセット解除前に、少なくともＰＳレジスタ１３の出力データが有効となり処理される前に、上位システムによりバス１００を介してレジスタ４１のセットが行なわれる必要がある。実施の形態１の場合と同様に、レジスタ４１に格納されるスリープ信号に基いてＰＳレジスタ１３、比較器１５、基準電圧発生器１７を制御することにより、実施の形態１の場合と同様に電力抑制効果が得られる。
【００４１】
なお、ケーブル電源の監視を物理層ＩＣもしくは物理層ブロックを使用して行うのではなく、システム上で別素子、例えば、電源のレギュレータＩＣなどを用いて行う場合、物理層ＩＣもしくは物理層ブロックでのケーブル電源の監視装置は使用する必要が無い。しかし、ケーブル電源の状態に関してはＰＳレジスタ１３に反映させる必要がある。ＰＳレジスタ１３に反映させるには、図１の構成では、ＣＰＳ端子２１に直接ケーブル電源の監視結果を入力信号として入力することで対応できる。しかし、電力消費の観点から見ると非常に無駄である。
【００４２】
（実施の形態３）
図３にインタフェースＩＣ（物理層ＩＣ）のさらに別の例を示す。
同図に示す物理層ＩＣ１０ｃは、図１に示す物理層ＩＣの回路構成に加え、さらに、外部監視信号端子２５とセレクタ４３とを備えている。外部監視信号端子２５は、物理層ＩＣ１０ｃの外部の電源監視装置により監視されたケーブル電源の監視結果である「外部電源監視信号」を入力する。セレクタ４３には、ＰＳレジスタ１３からの出力と、外部監視信号端子２５を介して入力された外部電源監視信号とが入力される。セレクタ４３はスリープ端子２３を介して入力されるスリープ信号に基いて、ＰＳレジスタ１３からの出力又は外部監視信号端子２５を介して入力された外部電源監視信号のいずれかを選択して出力する。すなわち、セレクタ４３は、スリープ端子２３からのスリープ信号がアクティブの場合、外部監視信号端子２５からの外部電源監視信号を選択して出力し、スリープ端子２３からのスリープ信号が非アクティブの場合、ＰＳレジスタ１３の出力を選択して出力する。
【００４３】
以上のように、物理層ＩＣ全体としては、スリープ状態にあるときは外部の電源監視装置により監視された監視結果を出力し、活動状態のときはＰＳレジスタ１３の出力を出力する。したがって、電源監視部１１ｃがスリープ状態であるときは、抵抗Ｒ２等で消費される無駄な電力消費を抑えるとともに、ケーブル電源の状態の監視結果を出力することが可能となる。
【００４４】
（実施の形態４）
図４にインタフェースＩＣのさらに別の例を示す。同図に示すインタフェースＩＣ１０ｄは、実施の形態２（図２）のインタフェースＩＣと同様に、物理層ブロック１１ｄ、リンク層ブロック３１、上位層インタフェースブロック３３を有している。
【００４５】
特に、本実施形態の物理層ブロック１１ｄは、実施の形態３（図３）に示した物理層ＩＣ１１ｃの構成とほぼ同様の構成を有するが、レジスタ領域４０ｂにおいて、実施の形態２（図２）のようにスリープ端子２３の代替のレジスタ４１を設けている点、および、外部監視端子２５の代替としてレジスタ４５を設けている点が異なる。レジスタ４１はスリープ信号の値を格納する。レジスタ４５は、ケーブル電源の電圧を監視する外部の電源監視装置５５からＰＣＩバス１００を介してインタフェースＩＣ１０ｄに入力された外部電源監視信号の値を格納する。レジスタ４１、４５は上位のシステムからバス１００を介して制御可能である。セレクタ４３は、レジスタ４１に格納されたスリープ信号の値に基き、ＰＳレジスタ１３の出力又はレジスタ４５に格納された外部電源監視信号の値のいずれかを選択し、電源監視信号としてリンク層ブロック３１へ出力する。レジスタ領域４０と物理層ブロック１１ｄとは少なくともクロック及びリセットの制御系が別系統になっている。
【００４６】
レジスタ４１は初期状態において、スリープ信号が「１」でアクティブ（ハイアクティブ）のときは「０」がセットされ、スリープ信号が「０」でアクティブ（ローアクティブ）のときは「１」がセットされる。レジスタ４１の初期設定完了後、物理層ブロック１１ｄの動作前（好ましくは物理層ブロック１１ｄのリセット解除前）で少なくともＰＳレジスタ１３の出力データが有効となり処理される前に、上位システムよりレジスタ４１、４５のセットを行う。
【００４７】
（実施の形態５）
図５は、上記の実施形態で示したインタフェースＩＣの利用例を説明した図である。同図においては、文書作成、画像処理、音声合成等の所定のデータ処理を行なうパーソナルコンピュータ等の情報処理装置２００と、光ディスクからなる情報記録媒体であるＣＤ（コンパクトディスク）へのデータの読み出し、書き込みを行なうＣＤ−Ｒ装置３００とが通信ケーブル２５０で接続された様子を示している。情報処理装置２００とＣＤ−Ｒ装置３００とは、例えばＩＥＥＥ１３９４等のインタフェースにしたがいデータ通信を行なうものとする。
【００４８】
情報処理装置２００は、所定のプログラムを実行することにより情報処理装置２００の動作制御を行なうコントローラ２０１、コントローラで実行するプログラムやデータを格納するＲＡＭ２０３、ＲＯＭ２０５、補助記憶手段であるハードディスク２０７、文字や画像の表示を行なう表示部２０９、キーボードやマウスからなる入力操作部２１１とを有し、これらはバス２１５を介して接続されている。さらに、情報処理装置２００は、外部の情報処理機器との間のデータ通信を制御するためのインタフェース部２１３を備える。このインタフェース部２１３は、上記に説明したようなインタフェースＩＣ１０を備える。
【００４９】
ＣＤ−Ｒ装置３００は、ＣＤ−Ｒ装置３００の動作制御を行なうコントローラ３０１と、ＣＤに対してデータの読み出し、書き込み等の処理を行なう駆動機構３０３と、情報処理装置２００との間のデータ通信を制御するインタフェース部３０５とを備える。インタフェース部３０５は、上記に説明したようなインタフェースＩＣ１０を備える。
【００５０】
なお、上記の実施形態で示した電源監視装置は、上記の情報処理装置やＣＤ−Ｒ装置のみならず、ＩＥＥＥ１３９４等のような通信ケーブルを介して電源を供給可能なインタフェースに準拠してデータ通信を行なう電子機器であれば同様に適用できる。
【００５１】
【発明の効果】
本発明の電源監視装置及び監視方法によれば、電源監視装置を外部よりスリープ状態で動作させるか否かを制御できる。このため、通信ケーブルを介して電源を供給可能なインタフェースに準拠したデータ通信において、それを組み込んだ電子機器の構成を特に変更することなく、通信ケーブル電源の電源監視を不要な場合はスリープ状態に容易に制御でき、消費電力を抑えることができる。
【００５２】
また、本発明の情報処理装置または光ディスク装置によれば、通信ケーブルを介して電源を供給可能なインタフェースに準拠したデータ通信可能な情報処理装置または光ディスク装置において、通信ケーブル電源の電源監視が不要な場合の消費電力を抑えることができる。
【図面の簡単な説明】
【図１】  本発明に係る電源監視部を含むインタフェースＩＣの要部を示した図（実施の形態１）。
【図２】  本発明に係る電源監視部を含むインタフェースＩＣの要部を示した図（実施の形態２）。
【図３】  本発明に係る電源監視部を含むインタフェースＩＣの要部を示した図（実施の形態３）。
【図４】  本発明に係る電源監視部を含むインタフェースＩＣの要部を示した図（実施の形態４）。
【図５】  本発明に係る電源監視部を含むインタフェースＩＣの利用態様を説明した図。
【図６】  従来の、ケーブル電源を使用しないシステムにおけるケーブル電源の監視部の構成を示した図。
【図７】  従来の、ケーブル電源を使用するシステムにおけるケーブル電源の監視部の構成を示した図。
【符号の説明】
１０，１０ａ，１０ｂ，１０ｃ，１０ｄ  インタフェースＩＣ
１１ａ，１１ｃ  電源監視部
１１ｂ，１１ｄ  物理層ブロック
１３  ＰＳレジスタ
１５  比較器
１７  基準電圧発生器
２１  ＣＰＳ端子
２３  スリープ端子
３１  リンク層ブロック
３３  上位層インタフェースブロック
４０  レジスタ領域
４１  スリープ端子の代替のレジスタ
４３  セレクタ
４５  外部監視端子の代替のレジスタ
２００  情報処理装置
３００  ＣＤ−Ｒ装置
Ｒ２  抵抗
【図１】
0003897524.tif 000002
【図２】
0003897524.tif 000003
【図３】
0003897524.tif 000004
【図４】
0003897524.tif 000005
【図５】
0003897524.tif 000006
【図６】
0003897524.tif 000007
【図７】
0003897524.tif 000008